(57)【要約】【課題】光源ユニットを器具本体に取り付ける際に、一対の端子が片方ずつ挿入されることのない表示灯を提供する。【解決手段】器具本体１は、前面の開口周縁に、器体９の背面の上端部を接触させることによりコネクタ１５に対して端子１４を挿入する際に一対の端子１４が並ぶ方向に沿った一直線回りの器体９の回転の支点となる支点部２４を有する。光源ユニット４には、器体９の背面から後方に突出する突出片２３ａと、突出片２３ａの先端部から上方に延出された延出片２３ｂとで構成された規制突起２３が設けられている。規制突起２３は、器具本体１に光源ユニット４が取り付けられる際に支点部２４を支点とした器体９の回転が伴っていなければ、器具本体１に設けた規制片２２に当接することによってコネクタ１５への端子１４の挿入を禁止する。【選択図】図１
2007317572.tif 000002
【特許請求の範囲】
【請求項１】
板状の表示パネルおよび表示パネルの背面側に配設され一端面から入射した光を表示パネルに導光する導光板を有した表示ユニットと、光源を点灯させる点灯装置を収納した前面開口の箱状の器具本体と、導光板の前記一端面に対向配置される光源を保持し導光板の前記一端面の長手方向に長い直方体状に形成された器体を有し、器体の背面の長手方向の両端部に互いに対向するように配置された一対の平板状の端子が設けられて成る光源ユニットとを備え、光源ユニットは、器具本体に設けられたコネクタに対して一対の端子を挿入接続することによって表示ユニットと共に器具本体の前面を覆う形で器具本体に着脱可能に取り付けられ、器具本体は、前面の開口周縁に器体のうち背面の幅方向において表示ユニットから遠い方の一端部を接触させることによりコネクタに対して端子を挿入する際に一対の端子が並ぶ方向に沿った一直線回りの器体の回転の支点となる支点部を有し、器体には、器体の背面から端子の突出方向に沿って突出する突出片と、突出片の先端部から器体の背面の幅方向に沿ってガイド突起側に延出された延出片とで形成された規制突起が設けられ、器具本体には、器体が取り付けられた状態で器体の背面と延出片との間に配置される規制片が設けられていることを特徴とする表示灯。
【請求項２】
前記規制突起は、前記器具本体に前記光源ユニットが取り付けられた状態で、前記延出片を前記規制片に当接させることにより規制片に係合することを特徴とする請求項１記載の表示灯。
【請求項３】
前記端子の突出寸法は、前記器具本体に前記光源ユニットが取り付けられる際に、光源ユニットにおいて前記光源からの光を取り出す面と前記導光板の前記一端面とが互いに対向しない位置関係にある状態で端子が前記コネクタに接触し始めるように設定されていることを特徴とする請求項１または請求項２記載の表示灯。
【発明の詳細な説明】
【技術分野】
【０００１】
本発明は、点灯装置を有した器具本体に光源を有した光源ユニットが着脱可能に取り付けられる表示灯に関するものである。
【背景技術】
【０００２】
近年、主に建造物の非難口の場所を知らせる誘導灯に用いられる表示灯として、図５（ａ）に示すように、光源３（図６参照）を点灯させる点灯装置５を収納した前面開口の直方体状の器具本体１と、矩形状の表示パネル６および表示パネル６の背面側に配設され一端面から入射した光を表示パネル６に導光する矩形状の導光板７（図６参照）を有し器具本体１の前面に取り付けられる表示ユニット２と、導光板７の前記一端面に対向配置される光源３を保持した器体９を有し表示ユニット２と共に器具本体１の前面を覆う形で器具本体１の前面に着脱可能に取り付けられる光源ユニット４とを備えたものが提供されている。この表示灯Ａは、図６のように、導光板７に入射した光源３からの光が導光板７の前面の略全域から前方に出射されるので、表示パネル６の全面をむらなく光らせることができる。
【０００３】
ところで、光源ユニット４は、図７に示すように器体９の背面からそれぞれ後方に突出した一対の平板状の端子１４を有している。一対の端子１４は、器体９の背面のうち導光板７の前記一端面に沿う方向の両端部に互いに対向する向きで配置されている。これらの端子１４は光源３に接続されており、器具本体１に設けられ点灯装置５に接続された一対のコネクタ１５に前方から挿入されることにより、コネクタ１５を介して光源３と点灯装置５とを電気的に接続する。平板状の端子１４とコネクタ１５との電気的接続を確保するために、コネクタ１５は端子１４を厚み方向に挟持する構造となっており、コネクタ１５において端子１４の厚み方向には遊びがほとんどない。ここで、光源ユニット４は、器具本体１の前方から器具本体１に取り付けられ、また、光源３の交換時などに器具本体１から手前に取り外される（たとえば特許文献１参照）。
【特許文献１】特開２００２−２３６７１号公報（第５−８頁、図１）
【発明の開示】
【発明が解決しようとする課題】
【０００４】
特許文献１に記載の表示灯Ａは、器具本体１に対して光源ユニット４を前方から取り付ける構造になってはいるものの、光源ユニット４を取り付ける際に一対の端子１４が片方ずつ挿入されることがある。この場合には以下の問題が生じる。
【０００５】
すなわち、一方の端子１４のみがコネクタ１５に挿入されている図８の状態では、後から挿入される端子１４はコネクタ１５に対して斜め前方から挿入されることになるので、後から挿入される端子の挿入接続は困難である。このように端子１４の挿入接続が困難であれば、端子１４がコネクタ１５に完全には挿入されずに光源３と点灯装置５との電気的な接続が不安定な状態で表示灯Ａが使用されてしまう可能性がある。
【０００６】
本発明は上記事由に鑑みて為されたものであって、光源ユニットを器具本体に取り付ける際に、一対の端子が片方ずつ挿入されることのない表示灯を提供することを目的とする。
【課題を解決するための手段】
【０００７】
請求項１の発明では、板状の表示パネルおよび表示パネルの背面側に配設され一端面から入射した光を表示パネルに導光する導光板を有した表示ユニットと、光源を点灯させる点灯装置を収納した前面開口の箱状の器具本体と、導光板の前記一端面に対向配置される光源を保持し導光板の前記一端面の長手方向に長い直方体状に形成された器体を有し、器体の背面の長手方向の両端部に互いに対向するように配置された一対の平板状の端子が設けられて成る光源ユニットとを備え、光源ユニットは、器具本体に設けられたコネクタに対して一対の端子を挿入接続することによって表示ユニットと共に器具本体の前面を覆う形で器具本体に着脱可能に取り付けられ、器具本体は、前面の開口周縁に器体のうち背面の幅方向において表示ユニットから遠い方の一端部を接触させることによりコネクタに対して端子を挿入する際に一対の端子が並ぶ方向に沿った一直線回りの器体の回転の支点となる支点部を有し、器体には、器体の背面から端子の突出方向に沿って突出する突出片と、突出片の先端部から器体の背面の幅方向に沿ってガイド突起側に延出された延出片とで形成された規制突起が設けられ、器具本体には、器体が取り付けられた状態で器体の背面と延出片との間に配置される規制片が設けられていることを特徴とする。
【０００８】
この構成によれば、器体には規制突起が設けられ、器具本体には規制片が設けられているので、器具本体に光源ユニットが取り付けられる際に支点部を支点とした器体の回転を伴わなければ規制突起の延出片が規制片に当接することによってコネクタへの端子の挿入を禁止することになる。したがって、器具本体に光源ユニットを取り付ける際には、支点部を支点とした器体の回転に伴って一対の端子がコネクタに挿入されることになる。ここにおいて、支点部は一対の端子が並ぶ方向に沿った一直線回りの器体の回転の支点となるので、支点部を支点とした器体の回転に伴って一対の端子をコネクタに挿入すると、一対の端子は同時にコネクタに挿入されることになり、結果的に一対の端子が片方ずつ挿入されることはなくなる。
【０００９】
請求項２の発明は、請求項１の発明において、前記規制突起が、前記器具本体に前記光源ユニットが取り付けられた状態で、前記延出片を前記規制片に当接させることにより規制片に係合することを特徴とする。
【００１０】
この構成によれば、器具本体に光源ユニットが取り付けられた状態で規制突起が規制片に係合するので、器具本体から光源ユニットが取り外される際に支点部を支点とした器体の回転を伴わなければ規制突起が規制片に係合することによってコネクタから端子が抜けることを禁止することになる。したがって、器具本体から光源ユニットを取り外す際には、支点部を支点とした器体の回転に伴って一対の端子がコネクタから抜かれることになる。ここにおいて、支点部は一対の端子が並ぶ方向に沿った一直線回りの器体の回転の支点となるので、支点部を支点とした器体の回転に伴って一対の端子をコネクタから抜くと、一対の端子は同時にコネクタから抜かれることになり、一対の端子が片方ずつ抜かれることはなくなる。その結果、片方の端子のみがコネクタに挿入されている状態で、光源ユニットを取り外すために光源ユニットに加わる外力が当該端子に集中する不具合を回避できる。
【００１１】
請求項３の発明は、請求項１または請求項２の発明において、前記端子の突出寸法が、前記器具本体に前記光源ユニットが取り付けられる際に、光源ユニットにおいて前記光源からの光を取り出す面と前記導光板の前記一端面とが互いに対向しない位置関係にある状態で端子が前記コネクタに接触し始めるように設定されていることを特徴とする。
【００１２】
この構成によれば、光源ユニットを器具本体に取り付ける際に、端子がコネクタに接触し始めた状態では、光源からの光は導光板に入射せず、表示パネルが光ることはない。したがって、光源ユニットが完全には取り付けられていない状態であれば、表示パネルが光らないことによって光源ユニットが完全には取り付けられていない状態であることを光源ユニットの取付作業を行う作業者あるいは表示灯の使用者に知らせることができ、光源ユニットの取付が不完全な状態で表示灯が使用されることを回避できるという利点がある。
【発明の効果】
【００１３】
本発明は、器体には規制突起が設けられ、器具本体には規制片が設けられているので、器具本体に光源ユニットが取り付けられる際に支点部を支点とした器体の回転を伴わなければ規制突起の延出片が規制片に当接することによってコネクタへの端子の挿入を禁止することになる。したがって、器具本体に光源ユニットを取り付ける際には、支点部を支点とした器体の回転に伴って一対の端子がコネクタに挿入されることになる。ここにおいて、支点部は一対の端子が並ぶ方向に沿った一直線回りの器体の回転の支点となるので、支点部を支点とした器体の回転に伴って一対の端子をコネクタに挿入すると、一対の端子は同時にコネクタに挿入されることになり、結果的に一対の端子が片方ずつ挿入されることはなくなるという利点がある。
【発明を実施するための最良の形態】
【００１４】
以下の実施形態では、建造物の非難口の場所を知らせる誘導灯に用いられる表示灯を例示するが、本発明の表示灯は誘導灯に用いられるものに限らず、表示パネルの意匠を変更することによって多様な用途に用いることができる。
【００１５】
本実施形態の表示灯Ａは、図５（ａ）の従来構成と同様に、前面開口した直方体状の器具本体１と、器具本体１の前面に取り付けられる表示ユニット２と、光源３を有し表示ユニット２と共に器具本体１の前面に取り付けられる光源ユニット４とを備えている。器具本体１は光源３を点灯させる点灯装置５を収納している。本実施形態では、図１に示すように表示ユニット２および光源ユニット４をそれぞれ２個ずつ備え、器具本体１の背面側にも表示ユニット２および光源ユニット４が取り付けられる構成を採用しているが、器具本体１の前面側と背面側とでは同一の構成を採用しているので、以下では器具本体１の前面側に取り付けられる表示ユニット２および光源ユニット４について説明する。
【００１６】
表示ユニット２は、図１に示すように、透光性を有するアクリル板に非難口へ誘導するための意匠が表記された矩形状の表示パネル６と、表示パネル６の背面側に配設され上端面から入射した光を表示パネル６に導光する矩形状の導光板７とを有し、導光板７の背面を器具本体１に対向させる向きで器具本体１に取り付けられる。ここでは、表示パネル６の前面以外から光が漏光しないように、表示パネル６および導光板７の上端面を除いた周面を覆う枠体８が表示パネル６および導光板７に取り付けられている。
【００１７】
光源ユニット４は、導光板７の上端面の長手方向（以下、左右方向とする）に長い直方体状に形成され光源３を導光板７の上端縁に対向する位置に保持する器体９を有し、表示ユニット２と共に器具本体１の前面を覆う形で器具本体１に取り付けられる。ここでは、光源ユニット４の光源３として導光板７の上端面の長手方向に長い直管形の冷陰極蛍光灯を用いており、光源３の周囲に下面が開放され光源３からの光を導光板７の上端面に向けて配光制御する反射板１０が配設されている。
【００１８】
器具本体１の上壁下面には板状の取付金具１１が配設されている。当該取付金具１１および器具本体１の上壁を貫通する２個の透孔１２（図５（ａ）参照）が形成されており、器具本体１はこれらの透孔１２に挿通されるねじ（図示せず）によって天井Ｂに取り付けられる。器具本体１内には商用電源の停電時に点灯装置５に給電する蓄電池１３（図５（ａ）参照）が設けられており、点灯装置５は、通常時には商用電源を電源として光源３を点灯させ、商用電源の停電時には電源を商用電源から蓄電池１３に切り替えて光源３を点灯させる。
【００１９】
器具本体１内の点灯装置５と光源ユニット４の光源３とは以下の構成によって接続されている。すなわち、光源ユニット４の器体９の背面のうち上下方向の中央部であって左右両端部には、光源３の両端部に設けられている各電極（図示せず）にそれぞれ接続された差込式の一対の端子１４が後方に突出する形で設けられており、当該一対の端子１４を器具本体１に設けられ点灯装置５に接続された一対のコネクタ１５に挿入接続することにより、点灯装置５と光源３とを接続する。
【００２０】
一対の端子１４は、それぞれ平板状に形成されており、左右方向に互いに対向するように左右方向にその厚み方向を一致させる向きで配置されている。各コネクタ１５はそれぞれ前方に開放されており、光源ユニット４の端子１４は前方からコネクタ１５に挿入される。ここで、コネクタ１５において端子１４が挿入される挿入穴１６（図５（ｂ）参照）は、端子１４の厚み方向（左右方向）の寸法が端子１４の厚み寸法と略同じであるのに対し、端子１４の幅方向（上下方向）の寸法が端子１４の幅寸法よりも大きく形成されている。
【００２１】
しかして、平板状の端子１４とコネクタ１５との電気的接続を確保するために、コネクタ１５は挿入穴１６内に金属板からなる刃受部材（図示せず）を備え、この刃受部材によって端子１４を厚み方向に挟持する。この刃受部材は、挿入穴１６の左右各側面に沿って配置された主板を有し、主板の上下両端部が折返し部として主板の厚み方向の片側に折り返された形に形成されており、挿入穴１６に挿入された端子１４は刃受部材の主板と折返し部との間に挿入されることになる。これにより、端子１４はコネクタ１５に挿入された状態で左右方向には移動が禁止されるものの、上下方向には僅かながら移動可能になる。
【００２２】
また、器具本体１における左右各側壁の前端部の内側面には、それぞれ上下方向に延長された縦片と縦片の下端部から後方に延出された横片とで左右方向に直交する断面がＬ字状に形成された係止片１７（図５（ａ）参照）が、上下方向に並ぶように一対ずつ突設されている。一方、表示ユニット２の背面において係止片１７に対応する各部位には、後方に突出する主片と主片の先端部から外方に延出された爪片とで上下方向に直交する断面がＬ字状に形成された係合片１８（図５（ａ）参照）がそれぞれ突設されている。
【００２３】
以下に、器具本体１に対して表示ユニット２および光源ユニット４を取り付ける手順を説明する。
【００２４】
器具本体１と表示ユニット２との左右方向の位置を合わせ、且つ、器具本体１の各係止片１７に対応する表示ユニット２の各係合片１８がそれぞれ上方にずれるように表示ユニット２の下面を器具本体１の下面よりも上方にずらした状態で、器具本体１に表示ユニット２の背面を当接させながら表示ユニット２を下方に摺動させることにより、係合片１８の爪片が係止片１７における縦片の背面と横片の上面とに当接する形で係合片１８が係止片１７に係合して、表示ユニット２が器具本体１に取り付けられる。この状態では、器具本体１に対する表示ユニット２の左右方向、下方向および前後方向への移動が規制される。
【００２５】
このように器具本体１に表示ユニット２のみが取り付けられた状態では、器具本体１の前面において表示ユニット２の上方には光源ユニット４よりも上下幅がやや小さい隙間が形成される。光源ユニット４の下部には表示ユニット２の上端部が挿入される凹所１９（図５（ｂ）参照）が形成されており、光源ユニット４は、前記隙間を埋めるように器具本体１の前面に着脱自在に取り付けられる。
【００２６】
本実施形態の表示灯Ａでは、光源ユニット４の器体９は、図２のように左右両端部の上端部からそれぞれ後方に突出する一対のガイド突起２０を備えており、図１（ａ）に示すようにこれらガイド突起２０を器具本体１内に挿入した状態で、器具本体１の左右各側壁にガイド突起２０が接触することよって左右方向への移動が規制され、且つ器具本体１の上壁下面にガイド突起２０が接触するとともに表示ユニット２の上面に凹所１９の底面が接触することによって上下方向への移動が規制されることになる。そして、器体９は、ガイド突起２０の上面を器具本体１の開口周縁のうち上壁における前面と下面との間の角部に接触させた状態で、ガイド突起２０における当該角部との接触部位を支点として回転させられることによって図１（ｂ）のように器具本体１に取り付けられる。ここで、器具本体１の上壁における前面と下面との間の角部は、器体９の回転の支点となる支点部２４として機能する。
【００２７】
つまり、光源ユニット４は、器体９のうち背面の幅方向において表示ユニット２から遠い方の一端部（上端部）を器具本体１の支点部２４（角部）に接触させ、支点部２４を支点として一対の端子１４が並ぶ方向に沿った一直線回りで器体９の下部を器具本体１に近づける向きに器体９が回転させられることによって器具本体１に取り付けられる。このように、器具本体１の支点部２４を支点として器体９を回転させることにより光源ユニット４を器具本体１に取り付けると、光源ユニット４の一対の端子１４は器体９の回転に伴って同時にコネクタ１５に挿入されることになる。
【００２８】
また、器具本体１から光源ユニット４を取り外す際に、仮に、図９の矢印Ｘのような力が光源ユニット４に加わり一対の端子１４が片方ずつ抜かれるとすると、一方の端子１４のみがコネクタ１５に挿入されている図８の状態で、光源ユニット４を取り外すために光源ユニット４に加わる外力は当該一方の端子１４に集中して作用することになるので、当該一方の端子１４に大きな力が作用して端子１４が変形してしまう可能性がある。端子１４が変形すると、光源ユニット４を再び取り付ける際に当該端子１４についてコネクタ１５への挿入接続が困難になるという不具合が生じる。
【００２９】
これに対して、本実施形態では器具本体１に光源ユニット４が取り付けられた状態で、ガイド突起２０における支点部２４との接触部位を支点として、取付時とは逆向きに器体９を回転させれば、光源ユニット４を器具本体１から取り外すことができる。このように器具本体１の支点部２４を支点として器体９を回転させることにより光源ユニット４を器具本体１から取り外せば、光源ユニット４の一対の端子１４は器体９の回転に伴って同時にコネクタ１５から抜かれることになる。
【００３０】
なお、器体９の左右両側面において器具本体１の前端縁に当接する後端縁には、コインの一部を挿入可能な取外し用溝２１が凹設されている。器具本体１に光源ユニット４が取り付けられている状態で、この取外し用溝２１内にコインの一部を挿入して器体９が器具本体１から離れる向きに力を作用させれば、容易に器具本体１と光源ユニット４との間に隙間を形成することができるので、この隙間に指等を入れて器体９を回転させることによって簡単に光源ユニット４を取り外すことができる。
【００３１】
ところで、器具本体１の上壁下面に設けられた取付金具１１の前後両端部は、それぞれ規制片２２として下方に曲げ起こされている。そして、光源ユニット４の器体９には、端子１４の突出方向に沿って規制片２２と突き合わされる規制突起２３が、図２に示すように背面のうち反射板１０の上方における各端子１４寄りの位置からそれぞれ突出する形で設けられている。この規制突起２３は、器体９の背面から後方に突出する突出片２３ａと、突出片２３ａの先端部から器体９の背面に沿って上方に延出された延出片２３ｂとで構成されており、器具本体１に器体９が取り付けられた状態で器体９の背面と延出片２３ｂとの間に規制片２２を配置するように規制片２２との位置関係が設定されている。
【００３２】
ここにおいて、光源ユニット４は、器具本体１に表示ユニット２が取り付けられた後で、器具本体１の前面において表示ユニット２の上方に形成された隙間を埋める形で器具本体１に取り付けられるものであるから、器具本体１に取り付けられる際には、上述したようにガイド突起２０が器具本体１内に挿入されることにより上下左右への器体９の移動が規制されることになる。そのため、コネクタ１５に端子１４を挿入する際に、器具本体１の支点部２４を支点とした器体９の回転が伴っていなければ、延出片２３ｂが規制片２２に当接することによってコネクタ１５への端子１４の挿入を禁止する。たとえば、器具本体１に対して光源ユニット４が前後方向に直進移動されて取り付けられそうになると図３のように延出片２３ｂの背面が規制片２２の前面に当接してコネクタ１５への端子１４の挿入を禁止する。
【００３３】
すなわち、規制突起２３および規制片２２を設けたことによって、器具本体１に光源ユニット４を取り付ける際には、必然的に、図４に示すように器体９の背面を斜め下方に傾けた状態でガイド突起２０を器具本体１の支点部２４に接触させてから、支点部２４を支点として器体９が回転させられることになるので、一対の端子１４が器体９の回転に伴って同時にコネクタ１５に挿入されることになり、したがって、従来構成のように一対の端子１４が片方ずつ挿入されることはなくなるという利点がある。
【００３４】
また、規制突起２３は、器具本体１に光源ユニット４が取り付けられた状態で、図１（ｂ）のように延出片２３ｂが規制片２２に引っ掛かる寸法に設定されている。つまり、器具本体１に光源ユニット４を取り付ける際に、器体９の回転に伴って延出片２３ｂが規制片２２を乗り越え、器具本体１に光源ユニット４が取り付けられた状態では、延出片２３ｂの前面が規制片２２の背面に当接することにより、規制突起２３が規制片２２に係合することになる。
【００３５】
ここにおいて、光源ユニット４は、器具本体１に表示ユニット２が取り付けられた状態で器具本体１から取り外されるものであるから、器具本体１から取り外される際には、上述したようにガイド突起２０が器具本体１内に挿入されていることにより上下左右への器体９の移動が規制されることになる。そのため、コネクタ１５から端子１４を抜く際に、器具本体１の支点部２４を支点とした器体９の回転が伴っていなければ、規制突起２３が規制片２２に係合することによってコネクタ１５から端子１４が抜けることを禁止する。たとえば、器具本体１に対して光源ユニット４が前後方向に直進移動されて取り外されそうになると、図１（ｂ）のように延出片２３ｂが規制片２２に当接してコネクタ１５から端子１４が抜けることを禁止する。
【００３６】
すなわち、規制突起２３および規制片２２を設けたことによって、器具本体１から光源ユニット４を取り外す際には、必然的に、図１（ａ）のように支点部２４を支点として器体９が回転させられることになるので、一対の端子１４が器体９の回転に伴ってコネクタ１５から同時に抜かれることになり、したがって、一対の端子１４が片方ずつ抜かれることはなくなるという利点がある。同時に、延出片２３ｂは規制片２２に係合することにより端子１４の抜け止めとしても機能しており、上述のように器体９を回転させない限り端子１４がコネクタ１５から抜けてしまうことはない。
【００３７】
さらにここでは、支点部２４を支点として器体９を回転させながら光源ユニット４を着脱する際に延出片２３ｂの先端部の軌跡が規制片２２に重ならないように、突出片２３ａの基端側における突出片２３ａからの延出片２３ｂの突出寸法を小さく設定しながらも、突出片２３ａの先端側においては突出片２３ａからの延出片２３ｂの突出寸法を大きくするために、延出片２３ｂは、突出片２３ａの先端側ほど突出片２３ａからの突出寸法が大きくなる形に先端面（上面）を傾斜させた形状に形成されている。すなわち、この形状によれば、突出片２３ａの基端側での延出片２３ｂの突出寸法を小さく設定することにより、支点部２４を支点とする器体９の回転を伴っている場合には延出片２３ｂを規制片２２に接触させることなく光源ユニット４を着脱可能としながらも、突出片２３ａの先端側での延出片２３ｂの突出寸法を大きく設定することにより、支点部２４を支点とする器体９の回転を伴っていない場合には延出片２３ｂの背面を規制片２２の前面に当接させてコネクタ１５への端子の挿入を確実に阻止することができる。
【００３８】
また、本実施形態の表示灯Ａにおいては、端子１４の突出寸法は、器具本体１に光源ユニット４が取り付けられる際に、図１（ａ）のように光源ユニット４において光源３からの光を取り出す面（器体９の下面）と導光板７の上端面とが互いに対向しない位置関係にある状態で端子１４がコネクタ１５に接触し始めるように設定されている。これにより、光源ユニット４を器具本体１に取り付ける際に、器体９を回転させて端子１４がコネクタ１５に接触し始めた状態では、光源３からの光は導光板７には入射せず、したがって表示パネル６が光ることはない。その結果、光源ユニット４が完全には取り付けられていなければ、光源ユニット４の取付作業を行う作業者あるいは表示灯Ａの使用者に対し、光源ユニット４が完全には取り付けられていないことを表示パネル６が光らないことによって知らせることができ、光源ユニット４の取付が不完全な状態で表示灯Ａが使用されることを回避できるという利点がある。
【００３９】
なお、本実施形態では、器具本体１の前面側に取り付けられる光源ユニット４が接続されるコネクタ１５と、器具本体１の背面側に取り付けられる光源ユニット４が接続されるコネクタ１５とを一体に構成しているが、これらのコネクタ１５は別々に設けられていてもよい。また、器具本体１の前面側のみに表示ユニット２および光源ユニット４が取り付けられる表示灯Ａに本発明を適用してもよい。
【図面の簡単な説明】
【００４０】
【図１】本発明の実施形態の構成を示し、（ａ）は光源ユニットを取付途中の要部の側面図、（ｂ）光源ユニットを取り付けた状態の要部の側面図である。
【図２】同上の光源ユニットの斜視図である。
【図３】同上の器具本体に対して光源ユニットが誤った取付方法で取り付けられようとしている状態の要部の側面図である。
【図４】同上の器具本体に対して光源ユニットが正しい取付方法で取り付けられようとしている状態の要部の側面図である。
【図５】（ａ）は従来構成の構成を示す分解斜視図、（ｂ）は（ａ）の要部を示す分解斜視図である。
【図６】同上の側面図である。
【図７】同上の上面図である。
【図８】同上の他の状態を示す上面図である。
【図９】同上の斜視図である。
【符号の説明】
【００４１】
１  器具本体
２  表示ユニット
３  光源
４  光源ユニット
５  点灯装置
６  表示パネル
７  導光板
９  器体
１４  端子
１５  コネクタ
２２  規制片
２３  規制突起
２４  支点部
２３ａ  突出片
２３ｂ  延出片
【図１】
2007317572.tif 000003
【図２】
2007317572.tif 000004
【図３】
2007317572.tif 000005
【図４】
2007317572.tif 000006
【図５】
2007317572.tif 000007
【図６】
2007317572.tif 000008
【図７】
2007317572.tif 000009
【図８】
2007317572.tif 000010
【図９】
2007317572.tif 000011